(57)【要約】【課題】  従来よりも薄型化が可能であり、かつ、厚み調整も可能とする吸音パネルを提供する。【解決手段】  吸音パネル１０Ａは、音波吸収板１１、音波干渉構造体１２、反射板１３を重ね合わせて型枠１４によりその周囲を保持した構成であり、音波吸収板１１は、型枠１４により表側に向けて進退動自由に支持されている。音波干渉構造体１２は単位積層体２０を２つ以上重ね合わせたものであり、単位積層体２０は、耐熱・耐炎性繊維からなる不織布層２１と、これに重ね合わせられた多孔性金属箔２２とからなっているので、音波干渉構造体１２の厚みは小さくなる。それゆえ、吸音パネル１０Ａを薄型化でき、また、単位積層体２０を増減することで吸音パネル１０Ａの厚み調整も可能となる。【選択図】  図１
2014015797.tif 000002
【特許請求の範囲】
【請求項１】
表側に配置され、音波を吸収して内部に透過させる音波吸収板と、
裏側に配置され、表側から透過した前記音波を反射させる反射板と、
前記音波吸収板と前記反射板との間に配置され、前記音波を干渉させて減衰させる音波干渉構造体と、
前記音波吸収板、前記音波干渉構造体、および前記反射板を重ね合わせた状態でその周囲を保持し、かつ、前記音波吸収板を表側に向けて進退動自由に支持する型枠と、を備え、
前記音波干渉構造体は、
不織布層と、当該不織布層に重ね合わせられた多孔性金属箔とからなる単位積層体を２つ以上重ね合わせたものとして構成されていることを特徴とする、
吸音パネル。
【請求項２】
前記音波干渉構造体は、
最外層の前記多孔性金属箔が表側に位置するように、前記音波吸収板と前記反射板との間に配置されることを特徴とする、
請求項１に記載の吸音パネル。
【請求項３】
前記不織布層は、有機系繊維または炭素系繊維からなる乾式不織布であることを特徴とする、
請求項１または２に記載の吸音パネル。
【請求項４】
前記不織布層は、アクリル系繊維を耐熱および耐炎処理することによって得られる炭素系繊維を用いてなる乾式不織布であることを特徴とする、
請求項３に記載の吸音パネル。
【請求項５】
前記多孔性金属箔は、全面に細孔が形成された軽金属箔であることを特徴とする、
請求項１ないし４のいずれか１項に記載の吸音パネル。
【請求項６】
前記音波吸収板は、剛性を有する網状板であり、
網目となる孔は、当該音波吸収板の法線方向に対して傾斜する方向に形成されていることを特徴とする、
請求項１ないし５のいずれか１項に記載の吸音パネル。
【請求項７】
前記音波吸収板、前記反射板、および前記型枠は軽金属製であることを特徴とする、
請求項６に記載の吸音パネル。
【請求項８】
前記反射板が前記型枠に一体化されていることを特徴とする、
請求項１に記載の吸音パネル。
【発明の詳細な説明】
【技術分野】
【０００１】
本発明は、様々な防音用途に用いることが可能な吸音パネルに関し、特に、従来よりも薄型化することが可能であるとともに厚み調整も可能であり、優れた吸音性能を発揮し得る吸音パネルに関する。
【背景技術】
【０００２】
特許文献１には、表面より音を吸収して透過させる音吸収板（吸音材）と、音波を干渉させて減衰させる音波干渉空気層（吸音層）と、音波を反射させる反射板（遮音材）とを、表面（吸音面）側から裏面（遮音面）側に向け３層構造に配設し、型枠で保持した構成の吸音パネルが開示されている。
この吸音パネルは、音吸収板を表面側に向けて進退動自在に付勢支持しているため、音波による音吸収板の振動が円滑となるので、音吸収板により音波を十分に吸収することができる。さらに、音波干渉空気層では、入射する音波と反射板から反射される音波を干渉、減衰作用によって吸音することができる。それゆえ、表面側の音波の反射、あるいは裏面側からの反響音を良好に抑制することができ、優れた吸音性能を実現することができる。
さらに、この吸音パネルは、前記３層構造を型枠で保持したパネルであるため、設置が容易である。それゆえ、一般的な工場の騒音対策、大規模設備用の大型防音壁、小型設備用の小規模な防音壁、工事現場等で用いられる簡易騒音対策等といったさまざまな用途に好適に用いることができる。
【先行技術文献】
【特許文献】
【０００３】
【特許文献１】特開２０００−３０９９８９号公報（特許第３５２２５８３号）
【発明の概要】
【発明が解決しようとする課題】
【０００４】
近年では、騒音対策に要求されるレベルが高くなっており、また、従来では想定されていなかったさまざまな分野においても防音が求められるようになっている。そのため、設置性を向上する観点では、吸音パネルをより薄型化することが望ましく、また、防音の用途に応じて、吸音パネルの厚みを調整できることが望ましい。
本発明はこのような課題を解決するためになされたものであって、従来よりも薄型化が可能であり、かつ、厚み調整も可能とする吸音パネルを提供することを目的とする。
【課題を解決するための手段】
【０００５】
本発明に係る吸音パネルは、前記の課題を解決するために、表側に配置され、音波を吸収して内部に透過させる音波吸収板と、裏側に配置され、表側から透過した前記音波を反射させる反射板と、前記音波吸収板と前記反射板との間に配置され、前記音波を干渉させて減衰させる音波干渉構造体と、前記音波吸収板、前記音波干渉構造体、および前記反射板を重ね合わせた状態でその周囲を保持し、かつ、前記音波吸収板を表側に向けて進退動自由に支持する型枠と、を備え、前記音波干渉構造体は、不織布層と、当該不織布層に重ね合わせられた多孔性金属箔とからなる単位積層体を２つ以上重ね合わせたものとして構成されている。
前記構成によれば、多孔性金属箔および不織布層からなる単位積層体が１セットとなって、これが２つ以上重ね合わせられて音波干渉構造体を構成するので、音波を大きく減衰することが可能となり非常に優れた吸音性能を発揮することができる。しかも、音波干渉構造体は、多孔性金属箔および不織布層から構成されるので、その厚みが小さくなる。それゆえ、吸音パネルの厚みを従来に比べて大幅に薄型化することができる。加えて、音波干渉構造体を構成する単位積層体を増減することにより、吸音パネルの厚みを調整することができ、また、単位積層体の数を増減することにより、特定周波数域の音波の吸収性能を向上させることもできる。
前記構成の吸音パネルにおいては、前記音波干渉構造体は、最外層の前記多孔性金属箔が表側に位置するように、前記音波吸収板と前記反射板との間に配置される構成であってもよい。
また、前記構成の吸音パネルにおいては、前記不織布層は、有機系繊維または炭素系繊維からなる乾式不織布である構成であってもよく、さらに、前記不織布層は、アクリル系繊維を耐熱および耐炎処理することによって得られる炭素系繊維を用いてなる乾式不織布であってもよい。
また、前記構成の吸音パネルにおいては、前記多孔性金属箔は、全面に細孔が形成された軽金属箔であってもよい。
また、前記構成の吸音パネルにおいては、前記音波吸収板は、剛性を有する網状板であり、網目となる孔は、当該音波吸収板の法線方向に対して傾斜する方向に形成されている構成であってもよい。
また、前記構成の吸音パネルにおいては、前記音波吸収板、前記反射板、および前記型枠は軽金属製であってもよい。
また、前記構成の吸音パネルにおいては、前記反射板が前記型枠に一体化されている構成であってもよい。
【発明の効果】
【０００６】
本発明では、以上の構成により、従来よりも薄型化が可能であり、かつ、厚み調整も可能とする吸音パネルを提供することができる、という効果を奏する。
【図面の簡単な説明】
【０００７】
【図１】（ａ）は、本発明の実施の形態に係る吸音パネルの構成の一例を示す概略断面図であり、（ｂ）は、（ａ）に示す吸音パネルの表面側（吸音面側）の拡大構成を模式的に示す断面図であり、（ｃ）は、（ａ）に示す吸音パネルにおいて、音波干渉多層構造体を構成する単位積層体の数を模式的に示す、型枠近傍の断面図である。
【図２】（ａ）および（ｂ）は、図１（ａ）に示す吸音パネル同士を型枠で結合する構成の一例を示す、型枠近傍の断面図であり、（ｃ）は、本発明の実施の形態に係る吸音パネルの他の例を示す概略断面図である。
【図３】（ａ）〜（ｃ）は、本発明の代表的な実施例の結果を示す音波のグラフである。
【図４】（ａ）〜（ｅ）は、図１（ａ）または図２（ｃ）に示す吸音パネルを代表的な使用例を示す模式的斜視図である。
【発明を実施するための形態】
【０００８】
以下、本発明の好ましい実施の形態を、図面を参照しながら説明する。なお、以下では全ての図を通じて同一又は相当する要素には同一の参照符号を付して、その重複する説明を省略する。
［吸音パネルの構成］
図１（ａ）に示すように、本発明の実施の形態に係る吸音パネル１０Ａは、音波吸収板１１、音波干渉構造体１２、反射板１３、および型枠１４を備えている。音波吸収板１１、音波干渉構造体１２、および反射板１３は、この順で重ね合わせられた状態で型枠１４によりその周囲が保持される。言い換えれば、音波吸収板１１と反射板１３とは互いに対向しており、この間に音波干渉構造体１２が挟持され、この状態で型枠１４により保持されていることになる。なお、図１（ａ）におけるブロック矢印Ａは、吸音パネル１０Ａにおける音波を吸収する側の面（吸音面）を示している。本実施の形態では、この吸音面Ａを表面とする。
音波吸収板１１は、吸音パネル１０Ａの吸音面Ａの側（表側）に配置され、音波を吸収して内部に透過させるよう構成されており、型枠１４により進退動自由に保持されている。音波吸収板１１の具体的な構成は特に限定されず、後述するように、伝播した音波によって振動可能であり、かつ、音波を吸音パネル１０Ａの内部に透過できるような構成であればよい。本実施の形態では、図１（ｂ）の拡大断面図においても模式的に示すように、剛性を有する網状板となっている。この構成であれば、音波による良好な振動と音波の良好な透過を実現することができる。
ここで、本実施の形態では、図１（ｂ）に示すように、音波吸収板１１の網目となる孔（網目孔１１０）は、音波吸収板１１の法線方向Ｎに対して傾斜する方向Ｈに形成されていることが好ましい。網目孔１１０の形成方向を、便宜上、孔形成方向Ｈとすると、吸音パネル１０Ａを設置する際に、孔形成方向Ｈを下側とすることで、網目孔１１０は下側を向くことになる。例えば、水滴等が吸音パネル１０Ａの吸音面Ａに付着したとき、図中ブロック矢印Ｄの流下方向に向かって水滴は流れ落ちるが、網目孔１１０は、流下方向Ｄではなく当該流下方向Ｄの反対側に向いていることになる。それゆえ、水滴が吸音パネル１０Ａの内部に入りにくくなり、吸音性能の低下を抑制することができる。
【０００９】
音波干渉構造体１２は、図１（ａ）に示すように、音波吸収板１１と反射板１３との間に配置され、音波を干渉させて減衰させるよう構成されており、本実施の形態では、不織布層２１と多孔性金属箔２２とから構成されている。１枚の不織布層２１と１枚の多孔性金属箔２２との組合せ（セット）は「単位積層体２０」を構成しており、音波干渉構造体１２は、この単位積層体２０を２つ以上重ね合わせたものとして構成されている。
単位積層体２０を構成する不織布層２１は、一般的な不織布（フェルト）であれば特に限定されないが、後述するように、耐熱性および耐炎性を有する繊維（便宜上、耐熱耐炎性繊維と称する）からなってなる不織布が特に好ましい。不織布層２１の厚みは特に限定されず、種々の条件（吸音対象となる音波の周波数特性、当該音波の強さ、吸音パネル１０Ａの使用条件等）に応じて適宜好適な厚みを設定することができる。一般的に好ましい厚みとしては１．０〜３．０ｍｍの範囲内を挙げることができ、１．５〜２．５ｍｍの範囲内がより好ましい。
同様に不織布層２１の目付も特に限定されず、種々の条件に応じて適宜好適な値のものを選択することができる。一般的に好ましい目付としては、１００〜５００ｇ／ｍ2 の範囲内であり、２００〜４００ｇ／ｍ2 の範囲内がより好ましい。
不織布層２１に用いられる繊維は、一般的な不織布として使用可能なものを好適に用いることができる。中でも、前述した耐熱耐炎性繊維が特に好ましい。後述する実施例に示すように、耐熱耐炎性繊維を用いた不織布層２１と多孔性金属箔２２とを組み合わせて音波干渉構造体１２として用いることにより、非常に優れた吸音性能を実現することができる。
ここで、耐熱耐炎性繊維の具体的な種類は特に限定されないが、非炭素系の無機繊維（ガラス繊維、金属繊維等）ではなく、有機系繊維（アラミド系繊維、ポリベンゾイミダゾール繊維、ノボロイド繊維）または炭素系繊維等を好ましく用いることができ、中でも、アクリル系繊維を原料として耐熱および耐炎処理する（焼成炭化する）ことによって得られる炭素系繊維を特に好ましく用いることができる。
耐熱耐炎性繊維において、その具体的な耐熱性および耐炎性のレベルは特に限定されず、一般的な可燃性繊維に比べて優れた耐熱性および耐炎性を実現することができればよい。耐熱性に関しては、少なくとも１５０℃の温度に対して耐久性を有していればよく、約２００℃（１８０〜２２０℃の範囲内）で耐久性を有していることが特に好ましい。また、耐炎性に関しては、限界酸素指数（ＬＯＩ）が２５以上であればよく、３０以上がより好ましく、５０以上が特に好ましい。アクリル系繊維を原料とする炭素系繊維は、約２００℃の高温下でも耐久性を発揮することができ、またＬＯＩが５０以上を呈するため、本発明の不織布層２１として特に好ましく用いることができる。
不織布層２１の製造方法についても特に限定されず、前述した耐熱耐炎性繊維を用いて公知のフリース形成法により製造した不織布を好適に用いることができるが、好ましくは、乾式法により製造された乾式不織布を用いることができる。
単位積層体２０を構成する多孔性金属箔２２の具体的な構成は特に限定されず、図１（ｂ）に模式的に示すように、公知の金属箔の全面に多数の細孔２３を形成したものであればよい。細孔２３の大きさは特に限定されず、種々の条件に応じて適宜好適な大きさを選択することができる。一般的には、１ｍｍ未満すなわちマイクロメートル単位の孔であればよい。
細孔２３の数も特に限定されず、種々の条件に応じて、単位面積当たりの好適な数を適宜選択することができる。一般的には、２０万個／ｍ2 以上であればよく、３０万個／ｍ2 以上であると好ましい。
また、多孔性金属箔２２は、その一方の面（好ましくは、不織布層２１に重ね合わせられて単位積層体２０を構成したときに、不織布層２１に接する側の面）に補強層が積層されていてもよい。これにより多孔性金属箔２２の強度を向上することができる。補強層の具体的な種類は特に限定されず、多孔性金属箔２２を補強可能であれば公知のどのようなものでも好適に用いることができる。
多孔性金属箔２２に用いられる金属箔の具体的な種類も特に限定されないが、吸音パネル１０Ａの軽量化を図る観点から、軽金属製の箔（軽金属箔）を好適に用いることができる。代表的な軽金属としては、アルミニウム、マグネシウム、チタン等を挙げることができる。これら軽金属は単体で用いられてもよいし合金として用いられてもよい。本実施の形態では、優れた吸音性能を発揮できることに加え、加工性およびコスト等についても有利な点があることから、アルミニウムまたはその合金の箔を好適に用いることができる。
音波干渉構造体１２は、前述した不織布層２１に前述した多孔性金属箔２２を重ね合わせた単位積層体２０を、２層以上重ね合わせることにより構成される。具体的には、図１（ａ）および図１（ｃ）の最上図に示すように、音波干渉構造体１２は、単位積層体２０を２層重ねた構成であってもよいし、図１（ｃ）の中間図に示すように、単位積層体２０を３層重ねた構成であってもよいし、図１（ｃ）の最下図に示すように、単位積層体２０を４層重ねた構成であってもよいし、５層以上重ねた構成であってもよい。
吸音パネル１０Ａは、図１（ａ）に示すように、その厚みの大部分は音波干渉構造体１２であるので、言い換えれば、音波干渉構造体１２を構成する単位積層体２０の数を変化させることで、吸音パネル１０Ａの厚みを調整することが可能となる。また、後述するように、単位積層体２０を重ねる数を変えることで、異なる周波数域の音波を吸収させることが可能なるので、吸音対象となる音波の周波数特性に応じて、単位積層体２０の数を好ましい値に設定することもできる。
吸音パネル１０Ａにおける音波干渉構造体１２の配置方向は特に限定されないが、図１（ａ）等に示すように、最外層の多孔性金属箔２２が表側（音波吸収板１１側）に位置するように、音波干渉構造体１２を音波吸収板１１と反射板１３との間に配置させることが好ましい。これによって、不織布層２１を多孔性金属箔２２により保護することが可能となるので、例えば、前述したような水滴等が表面（音波吸収板１１）に付着するような事態となっても、水滴等が吸音パネル１０Ａ内に入り込みにくくなり、これによって吸音性能の低下を抑制することができる。
【００１０】
反射板１３は、吸音パネル１０Ａの裏側に配置され、表側から透過した音波を反射させるよう構成されている。反射板１３の具体的な構成は特に限定されず、その反射面（吸音パネル１０Ａの内側となる面）が、音波吸収板１１、音波干渉構造体１２を介して伝播してきた音波を再び音波干渉構造体１２に向かって反射するように構成されていればよい。通常は、平滑な面となっていればよいが、吸音パネル１０Ａの形状を安定化させる観点から、音波吸収板１１と同程度の剛性を有していればよい。反射板１３の厚み等についても特に限定されず、種々の条件に応じて好適な厚み等を設定することができる。
型枠１４は、前述したように、音波吸収板１１、音波干渉構造体１２、および反射板１３を重ね合わせた状態でその周囲を保持し、かつ、音波吸収板１１を表側に向けて進退動自由に支持する構成であればよく、その具体的な構成は特に限定されない。本実施の形態では、図１（ａ）および図１（ｃ）に示すように、音波吸収板１１、音波干渉構造体１２、および反射板１３を重ね合わせた状態のものの周囲を挿入できる程度の間隔を有する枠体として構成されている。
さらに本実施の形態では、型枠１４の外周は、吸音パネル１０Ａ同士を結合するため、または、吸音パネル１０Ａを設置対象に取り付けるための固定部材を取付可能に構成されていることが好ましい。具体的には、本実施の形態では、図１（ａ）および図１（ｃ）に示すように、型枠１４の本体と同等の断面積を有する柱状の結合部１５が設けられている。
これにより、例えば、図２（ａ）に示すように、固定部材として、ボルト３１およびナット３２、並びに一対の結合用プレート３３を用い、結合部１５の両面を結合用プレート３３で挟み込んだ上で、結合部１５を貫通するようにボルト３１およびナット３２を取り付けることで、吸音パネル１０Ａ同士を同一平面上に結合することができる。また、図２（ｂ）に示すように、一方の吸音パネル１０Ａに対して他方の吸音パネル１０Ａを、直角を成すように配置して、互いの結合部１５を接触させ、他方の吸音パネル１０Ａの結合部１５の側面から一方の吸音パネル１０Ａの結合部１５に達するようにボルト３１を貫通させることにより、吸音パネル１０Ａ同士を直角状に結合することができる。
なお、使用される固定部材は、ボルト３１、ナット３２、結合用プレート３３等に限定されず、吸音パネル１０Ａの使用条件、取付対象等に応じて、公知の他の固定部材であっても好適に用いることができる。
ここで、吸音パネル１０Ａを構成する音波吸収板１１、反射板１３、および型枠１４の材質は特に限定されないが、本実施の形態では、いずれも軽金属製のものを好適に用いることができる。これらが軽金属製であれば、良好な吸音性能を実現できるだけでなく、良好な剛性、耐久性等も実現できる。具体的な軽金属としては、前述した多孔性金属箔２２と同様に、アルミニウム、マグネシウム、チタンまたはこれらの合金を挙げることができるが、多孔性金属箔２２と同様の理由からアルミニウムまたはその合金を好適に用いることができる。
【００１１】
［変形例］
また、本発明に係る吸音パネルは、図１（ａ）等に示す構成に限定されず、音波吸収板１１、音波干渉構造体１２、反射板１３、および型枠１４を備える構成であれば、他の構成を採用することができる。具体的には、例えば、図２（ｃ）に示すように、反射板１３が型枠に一体化されている構成の吸音パネル１０Ｂを挙げることができる。この吸音パネル１０Ｂに用いられている反射板一体型枠１６は、その内部に音波吸収板１１、音波干渉構造体１２および反射板１３を収容できるように構成されている以外は、図１（ａ）等に示す吸音パネル１０Ａと同様である。
ここで、吸音パネル１０Ｂでは、反射板一体型枠１６の背面部（裏面側の部位）が反射板１３となっており、音波吸収板１１、音波干渉構造体１２を介して伝播してきた音波を再び音波干渉構造体１２に向かって反射するように構成されている。また、反射板一体型枠１６の両端は、吸音パネル１０Ａの型枠１４と同様に、音波吸収板１１、音波干渉構造体１２および反射板１３の周囲を保持し、かつ、音波吸収板１１を進退動自由に保持している。
このタイプの吸音パネル１０Ｂにおいても、反射板一体型枠１６は、アルミニウム等の軽金属製であればよいが、吸音パネル１０Ｂは、後述するように、パネルカーテンまたはバーチカルブラインド等のインテリアとしても使用可能である。そこで、公知のプラスチック（樹脂）成形品で形成され、反射板１３となる内面側のみ、音波の反射性能を向上させるために、アルミニウムの軽金属の薄層が積層されてもよい。
したがって、本発明においては、音波干渉構造体１２を除いた構成は、必ずしも軽金属で形成される必要はなく、吸音パネル１０Ａまたは１０Ｂの用途に応じて、プラスチック等の他の材料と軽金属等とを組み合わせた複合材料が用いられてもよいし、軽金属以外の材料のみで形成されてもよい。
また、吸音パネル１０Ｂをインテリアに用いる場合には、反射板一体型枠１６においては、音波吸収板１１、音波干渉構造体１２、および反射板１３の周囲を押さえる枠部の縁にＲ加工を施してもよい。これにより、カーテンやブラインド等のように複数枚の吸音パネル１０Ｂを移動可能な状態で用いる場合、枠部の縁が他の吸音パネル１０Ｂに引っ掛かるおそれを低減できるので、吸音パネル１０Ｂの取扱性を向上することができる。
【００１２】
［実施例および作用効果］
以下、本発明の代表的な実施例により、本発明をさらに具体的に説明する。図３（ａ）〜（ｃ）は、吸音パネル１０Ａを構成する音波吸収板１１、反射板１３、および型枠１４として、いずれもアルミニウム製のものを用い、音波干渉構造体１２としては、２〜４セットの単位積層体２０からなるものを用いた。この単位積層体２０は、市販の耐熱耐炎性繊維の乾式不織布（カルボン（登録商標）、前田工繊（株）製）の不織布層２１に、アルミニウム箔製の多孔性金属箔２２を重ね合わせたものである。
図３（ａ）に示すように、音波干渉構造体１２が２セットの単位積層体２０から構成される吸音パネル１０Ａ（図１（ｃ）の最上図参照）では、図中上の原音が８６．９ｄＢであるのに対して、図中下の吸収後は６８．８ｄＢとなり、１８．１ｄＢの吸音が確認された。これにより音波干渉構造体１２が少なくとも２セットの単位積層体２０で構成されれば、十分に優れた吸音性能を発揮できることが明らかとなった。
また、図３（ｂ）に示すように、音波干渉構造体１２が３セットの単位積層体２０から構成される吸音パネル１０Ａ（図１（ｃ）の中間図参照）では、図中上の原音が８６．８ｄＢであるのに対して、図中下の吸収後は６６．４ｄＢとなり、２０．４ｄＢの吸音が確認された。これにより単位積層体２０を１セット増加させることで、さらに優れた吸音性能を発揮できることが明らかとなった。
また、図３（ｃ）に示すように、音波干渉構造体１２が４セットの単位積層体２０から構成される吸音パネル１０Ａ（図１（ｃ）の最下図参照）では、図中上の原音が８６．９ｄＢであるのに対して、図中下の吸収後は６６．１ｄＢとなり、２０．８ｄＢの吸音が確認された。さらに図３（ｂ）に示す３セットの場合と比較すれば、単位積層体２０が４セットの場合、特に低音域の音波が良好に吸収されることが明らかとなった。これにより、単位積層体２０を重ねる数を変えることで、異なる周波数域の音波を吸収させることが可能なることが明らかとなった。
このような構成の吸音パネル１０Ａまたは１０Ｂにおいては、これら吸音パネル１０Ａ，１０Ｂの吸音面Ａを音源側に向けて設置すれば、音源からの音波は、まず音波吸収板１１に伝播する。当該音波吸収板１１では、伝播した音波により振動するため、当該音波はし、ある程度吸音される。次に音波吸収板１１を透過した音波は、音波干渉構造体１２の多孔性金属箔２２に伝播し、当該多孔性金属箔２２の細孔２３により減衰して不織布層２１に伝播される。不織布層２１では、音波が分散されて干渉が生じることにより減衰する。
ここで、多孔性金属箔２２および不織布層２１からなる単位積層体２０は１セットとなっており、これが２つ以上重ね合わせられて音波干渉構造体１２を構成するので、２つ以上の単位積層体２０を伝播した音波は大きく減衰することになる。さらに、音波干渉構造体１２を透過した音波は反射板１３により反射されて再び音波干渉構造体１２に伝播するので、音波はより一層減衰する。これにより、吸音パネル１０Ａ，１０Ｂは非常に優れた吸音性能を発揮することができる。
しかも、音波干渉構造体１２は、多孔性金属箔２２および不織布層２１から構成されるので、従来構成と比較してもその厚みが小さくなる。それゆえ、吸音パネル１０Ａ，１０Ｂの厚みを従来に比べて大幅に薄型化することができる。加えて、音波干渉構造体１２は、多孔性金属箔２２および不織布層２１を重ね合わせた単位積層体２０を２つ以上重ね合わせた構成であるので、単位積層体２０を増減することにより、吸音パネル１０Ａ，１０Ｂの厚みを調整することができ、また、単位積層体２０の数を増減することにより、特定周波数域の音波の吸収性能を向上させることもできる。
【００１３】
［使用例］
本発明に係る吸音パネルの使用形態は特に限定されず、防音が求められる様々な用途において様々な使用形態で好適に用いることができる。具体的には、例えば、図４（ａ）に示す防音箱５１、図４（ｂ）に示す間仕切り５２、図４（ｃ）に示す天井パネル５３、図４（ｄ）に示すパネルカーテン５４、および図４（ｅ）に示すバーチカルブラインド５５等を挙げることができる。
防音箱５１は、図４（ａ）に示すように、複数の吸音パネル１０Ａを、前述した固定部材等を用いて図２（ａ），（ｂ）に示すように箱状に結合することにより形成可能である。この防音箱５１は、家庭内あるいはオフィス内で用いられるような比較的小型の機器を収納するという形で使用することができる。このような機器としては、家庭用の各種医療用機器、サーバ等を挙げることができる。
また、間仕切り５２は、図４（ｂ）に示す構成では、吸音パネル１０Ａを立設させて用いるために、その下部に脚体が設けられているが、この脚体に車輪をつけて移動可能な構成としてもよい。
また、天井パネル５３は、図４（ｃ）において点線で示す天井６０に公知の固定部材等を用いて複数の吸音パネル１０Ａを取り付けた構成である。同様に図示しないが、オフィスや室内の壁に吸音パネル１０Ａを貼り付けてもよい。
また、本発明に係る吸音パネル１０Ａ，１０Ｂは、薄型かつ軽量であるため、カーテンレールに左右に移動可能に吊り下げることで、図４（ｄ）に示すパネルカーテン５４として好適に用いることができる。さらに、吸音パネル１０Ａ，１０Ｂは、一般的なパネルよりも縦長に構成し、カーテンレールに吊り下げて連動して動くように構成することで、図４（ｅ）に示すバーチカルブラインド５５として好適に用いることができる。
これらパネルカーテン５４やバーチカルブラインド５５は、閉じた状態であれば遮光性能と吸音性能との双方を良好に実現することができるので、オフィス内でのプロジェクタ等を用いた会議、あるいは、室内でのホームシアター等の用途に好適に用いることができる。他にも、吸音パネル１０Ａ，１０Ｂの形状を変更したり、材質を変更したりすることで、パネルカーテン５４やバーチカルブラインド５５以外の室内で用いられるさまざまなインテリアに好適に用いることができる。
さらに図示しないが、吸音パネル１０Ａ，１０Ｂは薄型かつ軽量であるため、船舶や自動車、鉄道車両、航空機等の乗物の内部等にも好適に用いることができる。これら各種乗物は、近年の燃費向上の要求からできる限りの軽量化が求められており、それゆえ、軽量化を妨げかねない防音性に関しては重視されてこなかったが、本発明に係る吸音パネル１０Ａ，１０Ｂは薄型かつ軽量であるため、軽量化に大きな影響を与えることなく、乗物内に防音室等を設けることができる。なお、乗物内の吸音パネル１０Ａ，１０Ｂは、乗物の内壁として設けられてもよいし、図４（ｄ），（ｅ）に示すようなカーテンやブラインド等のインテリアとして設けられてもよい。
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００１４】
本発明は、防音が求められるさまざまな分野に好適に用いることができる。
【符号の説明】
【００１５】
１０Ａ，１０Ｂ    吸音パネル
１１    音波吸収板
１２    音波干渉構造体
１３    反射板
１４    型枠
１５    結合部
１６    反射板一体型枠
２０    単位積層体
２１    不織布層
２２    多孔性金属箔
５１    防音箱
５２    間仕切り
５３    天井パネル
５４    パネルカーテン
５５    バーチカルブラインド
【図１】
2014015797.tif 000003
【図２】
2014015797.tif 000004
【図３】
2014015797.tif 000005
【図４】
2014015797.tif 000006